Podtech/llm-jp-corpus-v4-ja_patent huggingface dataset:
(57)【要約】【課題】着用感や見栄えの良いミセス看護師用ウエアを提供する。【解決手段】ミセスの体型をベースにしたパターンで裁断・縫製されたミセス看護師用ウエアであり、前ぐり１を下げると共に後ぐり２を上げ、後肩甲骨周辺に肩ダーツ３を取ることにより前屈み・猫背形に対応させ、バストトップ５を低い位置に設定すると共にバストダーツ６を短くしてバスト周辺全体に十分にゆとりを持たせた。【選択図】図１
0003126378.tif 000002
【実用新案登録請求の範囲】
【請求項１】
前襟ぐりを下げると共に後ぐりを上げ、後肩甲骨周辺に肩ダーツを取ることにより背肩部分の筋肉に対応させ、バストトップを低い位置に設定すると共にバストダーツを短くしてバスト周辺全体に十分にゆとりを持たせたことを特徴とする、ミセス看護師用ウエア。
【請求項２】
ワンピース形式またはチュニック形式である、請求項１記載のミセス看護師用ウエア。
【考案の詳細な説明】
【技術分野】
【０００１】
本考案はミセス体型をベースにしてパタンニングされ縫製されたミセス看護師用ウエアに関する。
【背景技術】
【０００２】
メディカルウエアは看護師に要求される動きやすさなどを考慮に入れてパターンを起こして裁断・縫製されるが、一般に女性看護師の平均年齢が比較的若いことから、若い女性の体型をベースにして作られている。
【考案の開示】
【考案が解決しようとする課題】
【０００３】
女性の体型は年齢や出産歴などによって大きく変化する。図４はこれを模式的に示すものであり、若い女性の体型（点線で示す）と比べると、出産経験のある４０代などのミセスの体型（実線で示す）は背肩部分に筋肉がつくことから全体に前屈み・猫背形に見えるようになる。また、バストやヒップが下がり、腹部が出っ張ると共にウエストラインが分かりにくくなって寸胴形になり、腕や脚の付け根が太くなり、足が短く見えるようになってくる。
【０００４】
したがって、若い女性の体型をベースに作られた看護師用ウエアを、特に出産を経たミセス看護師が着用した場合、体型が大きく異なることから着用感が悪いだけでなく、体形の崩れがかえって強調されて見えるものとなっていた。
【０００５】
本考案の課題は、着用感が良くスタイリッシュに見えるミセス看護師用ウエアを提供することにある。
【課題を解決するための手段】
【０００６】
この課題を解決するため、本考案のミセス看護師用ウエアは、前襟ぐりを下げると共に後ぐりを上げ、後肩甲骨周辺に肩ダーツを取ることにより背肩部分の筋肉に対応させ、バストトップを低い位置に設定すると共にバストダーツを短くしてバスト周辺全体に十分にゆとりを持たせたことを特徴とする。
【０００７】
本考案のミセス看護師用ウエアは、ワンピース形式またはチュニック形式とすることができる。
【考案の効果】
【０００８】
本考案のミセス看護師用ウエアは、ミセスの体型をベースにパターンを起こして裁断・縫製されるので、着用感に優れると共にスタイリッシュに見えるという効果が発揮される。
【考案を実施するための最良の形態】
【０００９】
図１は、図４に示したミセス体型をベースにした本考案のミセス看護師用ウエアの基本パターンを示すものである。図４に関して既述したように、若い女性の体型に比べると、ミセス体型は全体に前屈み・猫背形となり、バストやヒップが下がり、腹部が出っ張ると共にウエストラインが分かりにくくなって寸胴形になり、腕や脚の付け根が太くなり、足が短く見えるようになる、などの特徴を有するので、本考案のミセス看護師用ウエアでは、これらの特徴を各所で反映させたパターンを採用している。
【００１０】
すなわち、前屈み・猫背形のミセス体型に対応させるため、前襟ぐり１を下げると共に後ぐり２を上げ、後肩甲骨周辺に肩ダーツ３を取っている。また、このような体型であると着衣時に前が下がり後ろが上がってしまう傾向にあるので、後丈４をあらかじめ長くしておく。
【００１１】
また、ミセス体型ではバストが下がると共にバストに張りがなくなってくるので、これに対応させるため、バストトップ５を低い位置に設定すると共にバストダーツ６を短くしてバスト周辺全体に十分にゆとりを持たせたパターンとする。
【００１２】
また、ミセス体型では腹部が出っ張ると共にウエストラインが分かりにくく寸胴形になってくるので、これに対応させるため、前ウエスト７を腹囲の出っ張りを避けてローライズにする。
【００１３】
さらに、ミセス体型では腕の付け根部分が太くなってくるので、これに対応させるため、袖ぐり９や袖口１０を大きくする。
【００１４】
図２は、このようなミセスパターンに基づいて縫製したチュニック形式のミセス看護師用ウエア１１を示す。
【００１５】
また、図３は、このようなミセスパターンに基づいて縫製したワンピース形式のミセス看護師用ウエア１２を示す。
【産業上の利用可能性】
【００１６】
本考案は、特にワンピースやチュニック形式のミセス看護師用ウエアとして有効に利用することができる。
【図面の簡単な説明】
【００１７】
【図１】本考案の一実施形態に係るミセス看護師用ウエアのパターンを示す説明図である。
【図２】図１に示すミセス用パターンに基づいて縫製されたチュニック形式のミセス看護師用ウエアの一例を示す正面図である。
【図３】図１に示すミセス用パターンに基づいて縫製されたワンピース形式のミセス看護師用ウエアの一例を示す正面図である。
【図４】若い女性体型とミセス体型とを比較して示す説明図である。
【符号の説明】
【００１８】
１  前襟ぐり
２  後ぐり
３  肩ダーツ
４  後丈
５  バストトップ
６  バストダーツ
７  前ウエスト
８  後ウエスト
９  袖ぐり
１０  袖口
１１  チュニック形式のミセス看護師用ウエア
１２  ワンピース形式のミセス看護師用ウエア
【図１】
0003126378.tif 000003
【図２】
0003126378.tif 000004
【図３】
0003126378.tif 000005
【図４】
0003126378.tif 000006
(57)【要約】      （修正有）【課題】着用感や見栄えの良いミセス看護師用ウエアを提供する。【解決手段】ミセスの体型をベースにしたパターンで裁断・縫製されたパンツ形式のミセス看護師用ウエアであり、前股上より後股上を長くし、前ウエスト位置は腹囲の出っ張りを避けてローライズにすると共に後ウエスト位置はウエストラインにフィットさせた位置とし、且つ、脇ゴム１２でウエストサイズを調整可能にした。さらに切替部１３を設けることによりヒップアップ効果を与えている。【選択図】図３
0003126379.tif 000002
【実用新案登録請求の範囲】
【請求項１】
前股上より後股上を長くし、前ウエスト位置は腹囲の出っ張りを避けてローライズにすると共に後ウエスト位置はウエストラインより高い位置でフィットさせ、且つ、脇ゴムでウエストサイズを調整可能にしたことを特徴とする、パンツ形式のミセス看護師用ウエア。
【請求項２】
後ろに切替部を設けて、後ウエストがウエストラインにフィットするようにした、請求項１記載のミセス看護師用ウエア。
【考案の詳細な説明】
【技術分野】
【０００１】
本考案はミセス体型をベースにしてパタンニングされ縫製されたミセス看護師用ウエアに関する。
【背景技術】
【０００２】
ミセス看護師用ウエアは動きやすさなどを考慮に入れてパターンを起こして裁断・縫製されるが、一般にナースの平均年齢が比較的若いことから、若い女性の体型をベースにして作られている。
【考案の開示】
【考案が解決しようとする課題】
【０００３】
女性の体型は年齢や出産歴などによって大きく変化する。図３はこれを模式的に示すものであり、若い女性の体型（点線で示す）と比べると、出産経験のある４０代などのミセスの体型（実線で示す）は背肩部分に筋肉がつくことから全体に前屈み・猫背形に見えるようになる。また、バストやヒップが下がり、腹部が出っ張ると共にウエストラインが分かりにくくなって寸胴形になり、腕や脚の付け根が太くなり、足が短く見えるようになってくる。
【０００４】
したがって、若い女性の体型をベースに作られたミセス看護師用ウエアを、特に出産を経たミセスのナースが着用した場合、体型が大きく異なることから着用感が悪いだけでなく、体形の崩れがかえって強調されて見えるものとなっていた。
【０００５】
本考案の課題は、着用感が良くスタイリッシュに見えるミセス看護師用ウエアを提供することにある。
【課題を解決するための手段】
【０００６】
この課題を解決するため、本考案のミセス看護師用ウエアは、前股上より後股上を長くし、前ウエスト位置は腹囲の出っ張りを避けてローライズにすると共に後ウエスト位置はウエストラインより高い位置でフィットさせ、且つ、脇ゴムでウエストサイズを調整可能にしたことを特徴とする。さらに、後ろに切替部を設けてヒップアップさせることが好ましい。
【０００７】
本考案のミセス看護師用ウエアは、パンツ形式とすることができる。
【考案の効果】
【０００８】
本考案のミセス看護師用ウエアは、ミセスの体型をベースにパターンを起こして裁断・縫製されるので、着用感に優れると共にスタイリッシュに見えるという効果が発揮される。
【考案を実施するための最良の形態】
【０００９】
図１は、図４に示したミセス体型をベースにした本考案のミセス看護師用ウエアの基本パターン示すものである。図３に関して既述したように、若い女性の体型に比べると、ミセス体型は全体に前屈み・猫背形となり、バストやヒップが下がり、腹部が出っ張ると共にウエストラインＷＬが分かりにくくなって寸胴形になり、腕や脚の付け根が太くなり、足が短く見えるようになる、などの特徴を有するので、本考案のミセス看護師用ウエアでは、これらの特徴を各所で反映させたパターンを採用している。
【００１０】
すなわち、ミセス体型では腹部が出っ張ると共にウエストラインＷＬが分かりにくく寸胴形になってくるので、これに対応させるため、前ウエスト７を腹囲の出っ張りを避けてローライズにすると共に後ウエスト８はウエストラインＷＬより高い位置でフィットさせる。これは、看護師にとって最も激しい運きである前屈みの姿勢に対しても着崩れを生じないようにするためであり、寸胴形になってきているミセス体型の場合にジャストウエストにすると着衣状態が安定しにくい。そこで、前ウエスト７は腹囲の出っ張りを避けてローライズにし、且つ、後ウエスト８はウエストラインＷＬより高い位置にして筋肉が最も動きにくい部分に設定することにより、パンツ着衣状態を安定させ、着崩れを防ぐようにしたものである。
【００１１】
図２および図３は、このようなミセスパターンに基づいて縫製したパンツ形式のミセス看護師用ウエア１１を示す。符号１２はウエストサイズを調整するための脇ゴムであり、腹囲の変化に追従しつつフィット感を高めている。符号１３は後ウエスト８をウエストラインにフィットさせるための切替部である。
【産業上の利用可能性】
【００１２】
本考案は、特にパンツ形式のミセス看護師用ウエアとして有効に利用することができる。
【図面の簡単な説明】
【００１３】
【図１】本考案の一実施形態に係るミセス看護師用ウエアのパターンを示す説明図である。
【図２】図１に示すミセス用パターンに基づいて縫製されたパンツ形式のミセス看護師用ウエアの一例を示す正面図である。
【図３】図２に示すパンツ形式のミセス看護師用ウエアの側面図である。
【図４】若い女性体型とミセス体型とを比較して示す説明図である。
【符号の説明】
【００１４】
１  前ぐり
２  後ぐり
３  肩ダーツ
４  後丈
５  バストトップ
６  バストダーツ
７  前ウエスト
８  後ウエスト
９  袖ぐり
１０  袖口
１１  パンツ形式のミセス看護師用ウエア
【図１】
0003126379.tif 000003
【図２】
0003126379.tif 000004
【図３】
0003126379.tif 000005
【図４】
0003126379.tif 000006
(57)【要約】【課題】    靴用消臭品には、多くの種類があるが、旅行などに持ち運びが便利で、使い捨て感覚の品物がない。【解決手段】本考案は靴用の消臭品をティーバッグに模した形状にすることによって、小型・軽量化を実現する。それにより、使い捨て感覚で、携帯に便利。しかも親しみ易く利用してもらえる靴用消臭品となる。【選択図】図２
0003126388.tif 000002
【実用新案登録請求の範囲】
【請求項１】
消臭剤をティーパックに模した形状に封入し、小型軽量化することによって、携帯に便利で、親しみやすくした靴用消臭品。
【考案の詳細な説明】
【技術分野】
【０００１】  本考案は、靴の消臭品を簡便な形状にすることにより使い易くしたものである。
【背景技術】
【０００２】  旅行などに持ち運びが便利で使い捨て感覚の靴用消臭品がない。
また、旅館やホテル・飛行機内などで簡便なシューズのエチケットサービスがあって欲しい。
【考案の開示】
【考案が解決しようとする課題】
【０００３】  靴用の消臭を目的とした商品や製品は多く見られるが、その大半は常備品であり、携帯に便利ではない。その欠点を補いたい。また、旅館やホテル・飛行機内のサービスでスプレーによる塗布もあるようだうだが、そのままお客に持ち帰ってもらえる機能（使い捨てに近い機能）を有している消臭品が必要。
【課題を解決するための手段】
【０００４】  課題を解決するためには形状を小さくし、取り扱いも簡便にする必要がある。
【考案の結果】
【０００５】  形状は今までの製品と異なり、小型で容易に使え、親しみのもてるものになる。
【考案を実施するための最良の形態】
【０００６】  ティーパックを模した形状にすることによって、簡単に靴内に装着及び取り出しが可能になる。また、使用後の処分も簡便になる。ブーツなど丈の長い靴に対しては、ヒモを長くすることによって対応する。２個で１対とする。
【実施例】
【０００７】  図面１の様に袋（約４ｃｍ×５ｃｍ）に消臭剤を入れる。ヒモ約１０ｃｍ（ブーツ時３０ｃｍ）を消臭剤入り袋に装着。ヒモの逆側には（約３ｃｍ角）取っ手様タグを付ける。【０００８】  図面２の様に消臭剤の袋部分を靴内に差し込む。ヒモ部を利用して、取っ手用タグを靴の外に架ける。
【産業上の利用可能性】
【０００９】  靴関連用品としての小売販売。靴の販売促進のノベルティー品。ホテル・旅館・飲食業・交通機関のサービス品。
【図面の簡単な説明】
【００１０】
【図１】本考案の構造
【図２】利用時の想定図
【符号の説明】
【００１１】１  消臭剤入りの袋
２  ヒモ
３  取っ手タグ
４  くつ本体
５  本考案品
【図１】
0003126388.tif 000003
【図２】
0003126388.tif 000004
【手続補正書】
【提出日】平成18年8月3日(2006.8.3)
【手続補正１】
【補正対象書類名】実用新案登録請求の範囲
【補正対象項目名】全文
【補正方法】変更
【補正の内容】
【実用新案登録請求の範囲】
【請求項１】
消臭剤をティーバッグに模した形状に封入し、小型軽量化することによって、携帯に便利で、親しみやすくした靴用消臭品。
【手続補正３】
【補正対象書類名】明細書
【補正対象項目名】０００６
【補正方法】変更
【補正の内容】
【０００６】  ティーバッグを模した形状にすることによって、簡単に靴内に装着及び取り出しが可能になる。また、使用後の処分も簡便になる。ブーツなど丈の長い靴に対しては、ヒモを長くすることによって対応する。２個で１対とする。
(57)【要約】 【課題】  個々の義歯を確実に固定できる義歯床を提供する。【解決手段】  義歯床は、上面に個々の義歯に対応した指示穴と指示ピンと補助指示ピンが設けられている。  【選択図】        図７
0003126382.tif 000002
【実用新案登録請求の範囲】
【請求項１】
義歯を載置する義歯床であって、上面に個々の義歯に対応した指示穴と指示ピンと補助指示ピンが設けられていることを特徴とする義歯床。
【考案の詳細な説明】
【技術分野】
【０００１】
本考案は、個々の義歯を載置する義歯床に関する。
【背景技術】
【０００２】
個々の義歯を固定載置する義歯床として特許文献１が知られている。この文献には示される義歯床は、上面に個々の義歯が備えるピンが嵌り込む穴と、当該義歯に形成した穴に嵌り込むピンが形成されている。
【特許文献１】米国意匠特許第ＵＳＤ４６５，０２７Ｓ号公報
【考案の開示】
【考案が解決しようとする課題】
【０００３】
特許文献１に開示される義歯床には指示ピンと指示穴のみであるので、誤った義歯を固定しやすい。
【課題を解決するための手段】
【０００４】
上記課題を解決すべく本考案に係る義歯床は、上面に個々の義歯に対応した指示穴と指示ピンと補助指示ピンが設けられている構成とした。
【考案の効果】
【０００５】
本考案に係る義歯床によれば特定の義歯を確実に特定の場所に固定することができる。
【考案を実施するための最良の形態】
【０００６】
以下に本考案の実施の形態を添付図面に基づいて説明する。図１は本考案に係る義歯床の正面図、図２は本考案に係る義歯床の背面図、図３は本考案に係る義歯床の左側面図、図４は本考案に係る義歯床の右側面図、図５は本考案に係る義歯床の平面図、図６は本考案に係る義歯床の底面図、図７は本考案に係る義歯床の義歯を固定する工程を説明した斜視図、図８は本考案に係る義歯床の斜視図、図９は本考案に係る義歯床の斜視図であり、義歯床１の上面には個々の義歯１１に対応した指示穴２と指示ピン３と補助指示ピン４が設けられている。
【０００７】
義歯１１を義歯床１に固定するには、義歯１１のピン１２を指示穴２に、義歯１１に形成した穴１３を指示ピン３に、義歯１１に形成した穴１４を補助指示ピン４に嵌め込む。
【０００８】
ここで、個々の義歯１１毎にピン１２、穴１３、穴１４の位置が異なり、特定の義歯は義歯床１の特定の部位にしか固定できないので、間違った箇所に義歯１１を固定することがない。
【図面の簡単な説明】
【０００９】
【図１】本考案に係る義歯床の正面図
【図２】本考案に係る義歯床の背面図
【図３】本考案に係る義歯床の左側面図
【図４】本考案に係る義歯床の右側面図
【図５】本考案に係る義歯床の平面図
【図６】本考案に係る義歯床の底面図
【図７】本考案に係る義歯床の義歯を固定する工程を説明した斜視図
【図８】本考案に係る義歯床の斜視図
【図９】本考案に係る義歯床の斜視図
【符号の説明】
【００１０】
１…義歯床、２…指示穴、３…指示ピン、４…補助指示ピン、１１…義歯、１２…ピン、１３…穴、１４…穴。
【図１】
0003126382.tif 000003
【図２】
0003126382.tif 000004
【図３】
0003126382.tif 000005
【図４】
0003126382.tif 000006
【図５】
0003126382.tif 000007
【図６】
0003126382.tif 000008
【図７】
0003126382.tif 000009
【図８】
0003126382.tif 000010
【図９】
0003126382.tif 000011
(57)【要約】      （修正有）【課題】幼児の安全と、保護者の負担を軽減し、費用も低廉であるキャタピラ−（登録商標）付ベビ−カ−を提供する。【解決手段】ベビ−カ−にキャタピラ−（登録商標）用車輪とキャタピラ−（登録商標）を装着してなるキャタピラ−（登録商標）付ベビ−カ−の構造。【選択図】図３
0003126353.tif 000002
【実用新案登録請求の範囲】
【請求項１】
本案はキャタピラー付、ベビーカーにして、１は本体骨格部にして、２はキャタピラー支柱部３はキャタピラー用車輪、４はキャタピラー、５は車軸である。
【考案の詳細な説明】
【技術分野】
【０００１】  本案は上記のごとくして、第１図に示せる如く本体骨格部１に支柱部２を接続し、キャタピラー用車輪３に、キャタピラー４を装着し、車軸５で両キャタピラー車輪を連結しているキャタピラー付ベビーカーの考案である。【０００２】  実用新案の性質、作用及び効果の要領
本案は以上の如くであるから、平坦な場所では、従来のベビーカーとして使用出来、現在バリアフリーと称されながら、各駅では、エスカレータ、エレベータの設置は万全では無く、たまたま、エスカレータが設置されていても、駅ではいつも‘ベビーカーはエスカレータには危険ですので乗せないように’とアナウンスがされており、街中の歩道橋に於ては、エスカレータ、エレベータの設置は、殆ど無く、その為従来非常に難儀し、種々の危険な場所が多かった階段の昇降時に、本キャタピラー付ベビーカーは安全にして容易に使用出来る新規なる考案であり、幼児の安全と、保護者の過大な負担を軽減し、その簡便さの故に費用も極めて低廉であり、社会的に、その益する所甚だ大である。
【図面の簡単な説明】
【０００３】
【図１】  キャタピラー付ベビーカー
【図２】  キャタピラー
【図３】  キャタピラー拡大図
【符号の説明】
【０００４】１．本体骨格部
２．キャタピラー支柱部
３．キャタピラー用車輪
４．キャタピラー
【図１】
0003126353.tif 000003
【図２】
0003126353.tif 000004
【図３】
0003126353.tif 000005
【手続補正書】
【提出日】平成18年4月20日(2006.4.20)
【手続補正１】
【補正対象書類名】実用新案登録請求の範囲
【補正対象項目名】全文
【補正方法】変更
【補正の内容】
【実用新案登録請求の範囲】
【請求項１】
ベビーカーにキャタピラー用車輪とキャタピラーを装着してなるキャタピラー付ベビーカーの構造。
【手続補正書】
【提出日】平成18年7月19日(2006.7.19)
【手続補正１】
【補正対象書類名】実用新案登録請求の範囲
【補正対象項目名】全文
【補正方法】変更
【補正の内容】
【実用新案登録請求の範囲】
【請求項１】
ベビ−カ−にキャタピラ−（登録商標）用車輪とキャタピラ−（登録商標）を装着してなるキャタピラ−（登録商標）付ベビ−カ−の構造。
【手続補正２】
【補正対象書類名】明細書
【補正対象項目名】全文
【補正方法】変更
【補正の内容】
【考案の詳細な説明】
【技術分野】
【０００１】  本案は上記のごとくして、第１図に示せる如く本体骨格部１に支柱部２を接続し、キャタピラ−（登録商標）用車輪３に、キャタピラ−（登録商標）４を装着し、車軸５で両キャタピラ−（登録商標）車輪を連結しているキャタピラ−（登録商標）付ベビ−カ−の考案である。【０００２】  実用新案の性質、作用及び効果の要領
本案は以上の如くであるから、平坦な場所では、従来のベビ−カ−として使用出来、現在バリアフリ−と称されながら、各駅では、エスカレ−タ、エレベ−タの設置は万全では無く、たまたま、エスカレ−タが設置されていても、駅ではいつも‘ベビ−カ−はエスカレ−タには危険ですので乗せないように’とアナウンスがされており、街中の歩道橋に於ては、エスカレ−タ、エレベ−タ−の設置は殆ど無く、その為従来非常に難儀し、種々の危険な場所が多かった階段の昇降時に、本キャタピラ−（登録商標）付ベビ−カ−は安全にして容易に使用出来る新規なる考案であり、幼児の安全と、保護者の過大な負担を軽減し、その簡便さの故に費用も極めて低廉であり、社会的に、その益する所甚だ大である。
【図面の簡単な説明】
【０００３】
【図１】  キャタピラ−（登録商標）付ベビ−カ−
【図２】  キャタピラ−（登録商標）
【図３】  キャタピラ−（登録商標）拡大図
【符号の説明】
【０００４】  １．本体骨格部
２．キャタピラ−（登録商標）支柱部
３．キャタピラ−（登録商標）用車輪
４．キャタピラ−（登録商標）
(57)【要約】【課題】  日常使用するエプロンには、ベルトが縫い付けてあるが、ベルトを取りはずして洗濯できるようにする。【解決手段】  エプロンの身頃とベルトをスナップ止めにすればよいので、身頃１の胸当ての上部にスナップ４、５とウエスト部分にスナップ６、７、８、９を付け、ベルト２に肩紐３を縫い付け、肩紐の先にスナップ１０、１１とウエスト部分にスナップ１２、１３、１４、１５を付けて、身頃とベルトをスナップ止めにする。肩紐は背中で交差させる。【選択図】図３
0003126355.tif 000002
【実用新案登録請求の範囲】
【請求項１】
日常使用するエプロンは、身頃の部分にベルトが縫い付けてあるが、ベルトを取りはずせるようにしたものである。
【考案の詳細な説明】
【技術分野】
【０００１】本考案は、エプロンのベルトを取りはずせるようにしたものである。
【背景技術】
【０００２】エプロンを洗濯する際、ベルトが汚れていないことが多いので、ベルトを取りはずして身頃の部分だけ洗濯したいと思うが、ベルトを取りはずせるエプロンが市販されていない。
【考案の開示】
【考案が解決しようとする課題】
【０００３】エプロンにはベルトが縫い付けてあるので、身頃が汚れた時ベルトが汚れていなくても洗濯するので、ベルトを取りはずして洗濯できるようにするものである。
【課題を解決するための手段】
【０００４】前項で説明した課題を解決するために、エプロンの身頃とベルトをスナップ止めにすれば、洗濯する際にベルトを取りはずして身頃だけ洗うことができる。
【考案の効果】
【０００５】エプロンの身頃だけ洗濯できれば、洗剤と水の節約になり、ベルトが他のものにからみつかないので洗濯しやすく、いつも清潔なエプロンを使えるようになる。又ベルトは無地の素材にすると、身頃の柄が異なる数種類のものに共用できる。
以下、本考案の実施の形態について説明する。
（イ）エプロンの身頃１の胸当ての上部にスナップ４、５を付け、ウエスト部分にスナップ６、７、８、９を付ける。身頃の丈は短くしてかさばらないようにする。
（ロ）ベルト２に肩紐３を縫い付け、肩紐の先にスナップ１０、１１を付け、ウエスト部分にスナップ１２、１３、１４、１５を付ける。
【実施例】
【０００６】エプロンにベルトを縫い付けてないので、身頃１のスナップ５、６と肩紐３のスナップ１０、１１を止め、身頃のスナップ６、７、８、９とベルトのスナップ１２、１３、１４、１５を止めて使用する。肩紐は背中で交差させる。
【図面の簡単な説明】
【０００７】
【図１】身頃裏側の平面図である。
【図２】ベルトの平面図である。
【図３】エプロンの立体図である
【符号の説明】
【０００８】１エプロンの身頃
２ベルト
３肩紐
４、５、６、７、８、９、１０、１１、１２、１３、１４、１５スナップ
【図１】
0003126355.tif 000003
【図２】
0003126355.tif 000004
【図３】
0003126355.tif 000005
【手続補正書】
【提出日】平成18年5月22日(2006.5.22)
【手続補正１】
【補正対象書類名】実用新案登録請求の範囲
【補正対象項目名】全文
【補正方法】変更
【補正の内容】
【実用新案登録請求の範囲】
【請求項１】
エプロンには、ベルトが縫い付けられているが、縫い付けないで、身頃とベルトにそれぞれスナップを取り付けてスナップ止めにして使用する、ベルトを取りはずせるエプロン。
【手続補正３】
【補正対象書類名】明細書
【補正対象項目名】０００６
【補正方法】変更
【補正の内容】
【０００６】エプロンにベルトを縫い付けていないので、身頃１のスナップ４、５と肩紐３のスナップ１０、１１を止め、身頃１のスナップ６、７、８、９とベルト２のスナップ１２、１３、１４、１５を止めて使用する、肩紐は背中で交差させる。
【手続補正書】
【提出日】平成18年7月26日(2006.7.26)
【手続補正１】
【補正対象書類名】実用新案登録請求の範囲
【補正対象項目名】全文
【補正方法】変更
【補正の内容】
【実用新案登録請求の範囲】
【請求項１】
身頃とベルトにそれぞれスナップを取り付けて、ベルトのスナップと身頃のスナップを止めて使用する、ベルトを取りはずせるエプロン。
(57)【要約】      （修正有）【課題】作業用の手袋を使用するため、左、右の手袋と考えなくてすぐ手に装着するが出来、又、手のひらと手の甲にも火の文字を入れている手袋を提供する。【解決手段】作業用の手袋、または、作業が一段とし易い指先のない手袋に、塩化ビ二−ルで手袋の両面、手の甲、手のひらに真赤な色で円を書き、円の中に大きめに火の文字を記入し、火を使うとき手袋を装着する火の用心手袋。【選択図】図１
0003126359.tif 000002
【実用新案登録請求の範囲】
【考案の詳細な説明】
作業用の手袋  （右手、左手どちらでも使用される）
【図１】
0003126359.tif 000003
【図２】
0003126359.tif 000004
【手続補正書】
【提出日】平成18年7月27日(2006.7.27)
【手続補正１】
【補正対象書類名】実用新案登録請求の範囲
【補正対象項目名】全文
【補正方法】変更
【補正の内容】
【実用新案登録請求の範囲】
【請求項１】
歳をとるごとに鍋を、火にかけていることを忘れ焦がしたり、大火にならずほっとすること、しばしば、そこで、ガス火を使用していることを忘れないよう、作業用の手袋、または、作業が一段とし易い指先のない手袋に、塩化ビ二−ルで手袋の両面、手の甲、手のひらに真赤な色で円を書き、円の中に大きめに火の文字を記入し、火を使うとき手袋を装着する火の用心手袋。
【手続補正２】
【補正対象書類名】明細書
【補正対象項目名】全文
【補正方法】変更
【補正の内容】
【考案の詳細な説明】
【技術分野】
【０００１】  作業用の手袋を使用するため、左、右の手袋と考えなくてすぐ手に装着するが出来、又、手のひらと手の甲にも火の文字を入れている手袋に関するものである。
【背景技術】
【０００２】  手袋を装着していないため火の文字がみえず気がつくのが遅い
【考案の開示】
【考案が解決しようとする課題】
【０００３】  火を使用するとき、何もつけてなく他のことにきをとられ、鍋を焦がしたり、気がつくのが遅い。
【課題を解決しようとするための手段】
【０００４】  赤色で手のひらと手の甲に火の文字を記入した手袋を、装着することにより、火を使用していることを忘れさせなくし、忘れても手を見るので、気づく。
【考案の効果】
【０００５】  本考案の火の用心手袋を使用することにより、火ガスを使用していることを認識させ、きづくのが早く鍋を焦がしたり、火事にならずにすむ。
【考案を実施するための最良の手段】
【０００６】  作業用手袋に塩化ビニ−ルの赤色で、まるを書き、図面の様に指先のある手袋又は、一段とし易いように指先のない手袋に、手の甲の手袋面と、手のひらの手袋面に赤色の火の文字を記入する。
【図面の簡単な説明】
【０００７】
【図１】指先のある手袋正面図
【図２】指先のない手袋正面図
【符号の説明】
【０００８】３  指先のある手袋、又は作業が一段とし易いように指先のない手袋に手の甲の手袋面。
４  手のひらの手袋面。
５  塩化ビニ−ルで赤色でまるを書く。
６  丸の中に赤色で火の文字を記入する。
【手続補正３】
【補正対象書類名】図面
【補正対象項目名】全図
【補正方法】変更
【補正の内容】
【図１】
0003126359.tif 000005
【図２】
0003126359.tif 000006
(57)【要約】      （修正有）【課題】料理の盛付けの際に、綺麗に見せることと、後片付けを簡単にすることが、求められるが、油ものの処理が問題となる。本考案は、吸湿、吸油性シートと非浸透性のシートを組み合わせ一体化した料理等の盛付けシートで、本シートを利用して、装飾効果と準備及び後片付の合理化、簡略化ができるシートを提供する。【解決手段】皿等に載せるシートに、特殊材を利用することで、後片付けが簡略化できる。【選択図】図１
0003126356.tif 000002
【実用新案登録請求の範囲】
【請求項１】
本件は、各種皿等の盛り付けの際、紙等のシートを利用して、装飾効果と準備及び後片付の合理化、簡略化ができるシートである。
【考案の詳細な説明】
【技術分野】
【０００１】  本考案は、表側を吸湿性材、裏側を浸透性がない素材の２層構造シートである。【０００２】  本考案は、料理を盛り付ける際に、皿等の上に紙状のシートを載せて、見た目の盛付けの演出と食後の後片付を簡単に行うことができるシートである。【０００３】  本シートは、材質を油等の浸透性のある材を通さず、尚且つ保湿性のあるもので作り、洗浄を容易に出来るように考えたシートである。【０００４】  サイズ、形状を複数種取り揃える事で、各種の皿、盆、椀等に対応可能なものである。【０００５】  また、色やシートに装飾を施すことで、飾付けの助けとなるようにする。
【背景技術】
【０００６】  従来より、ケーキや小品での盛付けの際に、紙等のシートを利用されてきたが、利用する料理が限定されていた、本考案では、シートの材質に硫酸紙等の特殊紙を使うことで、多種多様な料理に利用ができる。
【考案が解決しようとする課題】
【０００７】  従来のものは、利用する料理に制限がある。
【考案の効果】
【０００８】  シートの材質を選ぶことで、多数の料理に利用することが出来る。また、皿等に料理かすがつき難くなり、後片付け洗浄等が簡略できる。
【考案を実施するための最良の形態】
【０００９】  詳しくは、図面１による。
【産業上の利用可能性】
【００１０】  一般家庭での利用が考えられるが、レストラン等大規模施設に利用も、ロゴや装飾を特注品として作成するなどして、積極的に商用として利用することが考えられる。
【図面の簡単な説明】
【００１１】
【図１】  丸型シート
【図２】  角型シート
【符号の説明】
【００１２】        １    基材シート
２    縁飾り等
【図１】
0003126356.tif 000003
【図２】
0003126356.tif 000004
【手続補正書】
【提出日】平成18年7月18日(2006.7.18)
【手続補正１】
【補正対象書類名】実用新案登録請求の範囲
【補正対象項目名】全文
【補正方法】変更
【補正の内容】
【実用新案登録請求の範囲】
【請求項１】
本案は、吸湿、吸油性シートと非浸透性のシートを組み合わせ一体化した料理等の盛付けシートで、本シートを利用して、装飾効果と準備及び後片付の合理化、簡略化ができるシートである。
(57)【要約】【課題】コンパクトでバックそのもので移動できるキャスター付買い物バックを提供する。【解決手段】持ち手とバックの一体化によりコンパクトで軽量である。バックはこしのある素材を使用し、キャスターを付けることで移動がらくである。【選択図】図１
0003126367.tif 000002
【実用新案登録請求の範囲】
【請求項１】
持ち手とバックの一体化によりコンパクトで軽量である。ショルダーや、折りたたみ機能の特徴を持つキャスター付買い物バック。
【考案の詳細な説明】
【技術分野】
【０００１】  本考案は、重いものや量があるときに、コンパクトで場所もとらずに移動がしやすい、機能目的のキャスター付買い物バックである。
【背景技術】
【０００２】  平面時は歩調に合わせてキャスター移動のため、手に負担がかからない、階段やデコボコ面ではショルダーに変えて運ぶ、、荷物がない時は折りたためる、携帯に便利である。
【考案の開示】
【考案が解決しようとする課題】
【０００３】  そのために、次のような問題点があった。
（イ）従来のものには支柱の取り付けが多い、支柱がないこのタイプはキャスター付のバックそのもので移動するため、全体の形状維持が保ちにくい
【課題を解決するための手段】
【０００４】持ち手とバックの一体化により型くずれが少ない、コンパクトで軽量である。バックはこしのある素材を使用し、キャスターを付けることで移動が楽である。
【考案の効果】
【０００５】重たい物でもかさばる物でも直接手に負担がかからない、移動中も邪魔にならない、バックの出し入れが簡単である。携帯していることで必要時はいつでも使用できるため買い物が苦にならない。
【考案を実施するための最良の形態】
【０００６】以下、本考案の実施の形態を説明する。
（イ）長方形のこしのある素材で底面のある袋状（１）袋状の上部に持手部分の空間を設ける（２）持手部分の下はファスナーで開閉できる出し入れ口
（ロ）袋状の底面（３）キャスター４個取り付けてあり前後左右に可動
（ハ）ショルダー機能（４）ショルダーベルト調節付き
（二）折りたたみ機能（５）折りたたみ時の止めベルトあり。
本案は、以上の構成よりなっている。
使用する時は、重い荷物やかさばる時に手に負担がかからず、歩行と同時に移
できる、（１）（２）（３）キャスターがあるため重い荷物も直接手に負担がかからない。【０００７】また階段やデコボコ道の場所では（４）ショルダーベルトを調節し肩にかける。（５）使用前は折りたたみでき携帯にも邪魔にならない。
【図面の簡単な説明】
【０００８】
【図１】本考案の斜視図
【図２】本考案折りたたみ図
【符号の説明】
【０００９】      １  本体バック
２  持ち手部分（空間）
３  キャスター４個
４  ショルダーベルト
５  ショルダー時の止め具
６  ショルダーベルトの押さえ部分
７  折りたたみ時のとめ具（表と裏に２箇所）
８  開閉部分のファスナー部分（内部付）
【図１】
0003126367.tif 000003
【図２】
0003126367.tif 000004
【手続補正書】
【提出日】平成18年7月25日(2006.7.25)
【手続補正１】
【補正対象書類名】実用新案登録請求の範囲
【補正対象項目名】全文
【補正方法】変更
【補正の内容】
【実用新案登録請求の範囲】
【請求項１】
「手軽に持ち歩き出来る買い物バックとして
（１）袋状のバック
（２）前後左右可動なキャスター
（３）バックの側面に取り付けられたショルダー
（４）袋状の開口部に取り付けられたファスナーからなり
（５）まるめてバックが折りたたみ可能であることを特徴とする
以上の構成からなるキャスター付買い物バック。」
(57)【要約】      （修正有）【課題】半液状の物質（マヨネーズ・ケチャップ等の食品、練り歯磨き、化粧品等）に使用されているプラスチック、ナイロン、低密度ポリエチレン等で作られた容器に帯状の筋を入れ、容易に２分割することができるようにする。【解決手段】本考案は、容器に中間部に帯状に溝を入れることにより容器がきれやすくなる部分を作り、故意に手で引っ張ることにより容器を２分割する。【選択図】図１
0003126363.tif 000002
【実用新案登録請求の範囲】
【請求項１】
半液状の物質（マヨネーズ・ケチャップ等の食品、練り歯磨き、化粧品等）に使用されているプラスチック、ナイロン、低密度ポリエチレン等で作られた容器に帯状の筋を入れ、容易に２分割することができるようにする。
【考案の詳細な説明】
【技術分野】
【０００１】
本考案は、半液状の物質（マヨネーズ・ケチャップ等の食品、練り歯磨き、化粧品等）に使用されているプラスチック、ナイロン、低密度ポリエチレン等で作られた容器を容易に２分割するものである。
【背景技術】
【０００２】
プラスチック、ナイロン、低密度ポリエチレン製チューブ容器は、マヨネーズ、ケチャップ、味噌、歯磨き等、様々な半液状の製品用容器として使われている。
通常、この容器に入った物を最後まで使い切るためには、力任せに絞ったり、鋏を使って容器を切りスプーン等ですくい出している。
【０００３】
しかし、力任せに絞っても最後までは使い切れず、鋏を使用して容器を切るには衛生上の問題が生じてくる。
【０００４】
この改善策として、蓋の部分を下にして保管しておくことが通常行われているが、内容物が蓋のところまで降りてくるには相当の時間を要し通常の使用ではそれまで待てない場合がほとんどである。
【考案の開示】
【考案が解決しようとする課題】
【０００５】
解決しようとする問題点は、粘性の高い半液体状の物を効率よく、確実に取り出すことができない点である。
【課題を解決するための手段】
【０００６】
本考案は、容器に中間部に帯状に溝を入れることにより容器がきれやすくなる部分を作り、故意に手で引っ張ることにより容器を２分割する。
【考案の効果】
【０００７】
本考案の容器は、容易に２分割できる為に内容物が飛躍的に取り出しやすくなり、またゴミとして出す前に充分洗浄ができるようになった。
【実施例】
【０００８】
図１に基づいて実施例を説明する。容器の溝の部分を引っ張ることにより容器全体を分割し、内容物を取り出しやすくする。
【図面の簡単な説明】
【０００９】
【図１】外周部に溝を入れた容器。Ａの部分をＢの方向に引っ張ることにより、容器全体を分割する。
【図２】容器の溝部断面図
【図３】分割後の容器の状態
【図１】
0003126363.tif 000003
【図２】
0003126363.tif 000004
【図３】
0003126363.tif 000005
【手続補正書】
【提出日】平成18年8月11日(2006.8.11)
【手続補正１】
【補正対象書類名】実用新案登録請求の範囲
【補正対象項目名】全文
【補正方法】変更
【補正の内容】
【実用新案登録請求の範囲】
【請求項１】
半液状の物質の保存に使用されているプラスチック、ナイロン、低密度ポリエチレン等で作られた容器に帯状の筋を入れ、容易に２分割することができる容器。
(57)【要約】【課題】      赤ちゃんを寝かす時など、母親が添い寝しながら授乳する機会は多く、変則な姿勢とその時間は長時間に及ぶこともあり腰痛になるという問題点を解決する。【解決手段】  添い寝授乳時に母親の腹部、又は背部に適当な大きさのクッションを宛がうことで変則な姿勢を楽に維持し、腰痛になるのを防ぐようにした。【選択図】図２
0003126368.tif 000002
【実用新案登録請求の範囲】
【請求項１】
赤ちゃんと添い寝しながら授乳する際、母親の腹部又は背部に使用するクッション。
【考案の詳細な説明】
【考案の詳細な説明】
【考案が解決しようとする課題】
【０００１】  赤ちゃんを寝かす時など、母親が添い寝しながら授乳する機会は多く、変則な姿勢とその時間は長時間に及ぶこともあり腰痛になるという問題点を有していた。
【課題を解決する為の手段】
【０００２】  上記目的を達成するために、変則的な姿勢を長時間維持し、楽な姿勢で授乳出来るよう、クッションを腹部又は背部に宛がう。
【考案の効果】
【０００３】  内部がスポンジ製の三角柱状のクッションを腹部又は背部に宛がうことにより、腰部への負担が軽減する。
【図面の簡単な説明】
【図１】補助クッション斜視図
【図２】添い寝授乳時の姿勢と補助クッションを腹部に宛がった姿勢図
【図３】添い寝授乳時の姿勢と補助クッションを背部に宛がった姿勢図
【図４】補助クッションの状態図
【符号の説明】
１    クッション
２    身体（腹部又は背部）
【図１】
0003126368.tif 000003
【図２】
0003126368.tif 000004
【図３】
0003126368.tif 000005
【図４】
0003126368.tif 000006
【手続補正書】
【提出日】平成18年7月18日(2006.7.18)
【手続補正１】
【補正対象書類名】実用新案登録請求の範囲
【補正対象項目名】全文
【補正方法】変更
【補正の内容】
【実用新案登録請求の範囲】
【請求項１】
内部がスポンジ製の三角柱という形状を有するクッション。
(57)【要約】      （修正有）【課題】吊り下げ枠に傾斜棚を数段設け、樹脂チューブ容器の転倒防止及び、保管スペースを確保する。【解決手段】湾曲させた１の吊り下げ枠に補強板１ａを取り付け、樋状に湾曲させた２の棚を傾斜させて数段設け、３の止め板で容器挿入時の落下を防ぐ、これによりチューブ容器の転倒防止及び、保管スペースの確保が可能になる。【選択図】図１
0003126361.tif 000002
【実用新案登録請求の範囲】
【請求項１】
吊り下げ枠に傾斜棚を設けた、樹脂チューブ容器用ハンガー。
【考案の詳細な説明】
【技術分野】
【０００１】  本考案は、吊り下げ枠に傾斜棚を設けた、樹脂チューブ容器用ハンガーに関するものである。
【背景技術】
【０００２】  樹脂チューブ容器を使用している商品の、歯磨きペースト及び化粧落としジェルなど、充填材を絞り出し口の方向に片寄せる容器の利便性から、垂直に容器が立つ形状になっている、棚などに立てて容器を置いても振動により倒れ、容器を垂直な状態で保つのは困難であるし、容器を幾つも並べ保管するのにはスペースが必要になる。
【考案の開示】
【考案が解決しようとする課題】
【０００３】  チューブ容器の保管による不安定さを、傾斜棚と吊り下げ枠を組み合わせ用いることで安定させられ、且つ、容器を絞り出し口方向に挿入できることで、容器本来の利便性を生かした形態になり、傾斜棚を数段配置した構造であれば、スペースの確保ができ前述の難点を補える。
【課題を解決するための手段】
【０００４】  本考案は、湾曲させ一端を塞いだ棚を、補強を施した吊り下げ枠に傾斜させ数段設けることで、課題を解決しようとするものである。
【考案の効果】
【０００５】  上述の様に、本考案は一端を塞ぎ湾曲させた傾斜棚で容器を保持するので、転倒及び落下の心配もなく、洗面所及び風呂場など狭い場所に於いても、吊り下げ枠に設けた棚数の容器を保管することが可能である、更に、水濡れが懸念される場所であっても棚が傾斜し一端に隙間があるので、水抜きができ清潔に使用できる。
【考案を実施するための最良の形態】
【０００６】  棚は、樋状に湾曲させ一端を容器挿入時の止めで塞ぐ、楕円形に模った角柱に補強板を取り付けて、棚の傾斜姿勢を保つ補強を施した吊り下げ枠となり、この枠に棚を傾斜させ数段設ける。
【実施例】
【０００７】  以下、添付図面に従って一実施例を説明する。湾曲させた１の吊り下げ枠に補強板１ａを取り付け、樋状に湾曲させた２の棚を傾斜させて数段設ける、３の止め板で器挿入時の落下を防ぐ。
【産業上の利用可能性】
【・・・・】
【図面の簡単な説明】
【０００８】
【図１】本考案の実施例を示す正面図である。
【図２】本考案の側面図である。
【符号の説明】
【０００９】  １    吊り下げ枠
１ａ  補強板
２    棚
３    止め板
【図１】
0003126361.tif 000003
【図２】
0003126361.tif 000004
(57)【要約】      （修正有）【課題】ヒーリングスポットとして連結可能の可動家具：潅水装置付き室内植物観賞ユニットを提供する。【解決手段】ガラスの植木鉢１に植えられた植物は可動の家具ユニット２の内部に設置された循環型室内潅水装置３により最適に管理され、ガラス鉢と共に底面に組み込まれた照明装置４によってライトアップされる。上部より散水された水はエアー導入パイプ５の高さ調整により植物に合わせた水溜りを鉢底に作り出し、余剰水は下部の貯水容器６に蓄えられる。給水リボン７により吸い上げられた水は上部に保水シート８に蓄えられ、コケなどの乾燥し易い表層の生育環境を最適に維持する。エアー導入パイプ５より引き込まれた酸素はドーム状のエアーダクト９を通して鉢底全面のセラミック土壌に均等に供給され根腐れを防止する。【選択図】図１
0003126366.tif 000002
【実用新案登録請求の範囲】
【請求項１】
室内で植物を観賞することを目的に循環型室内潅水装置を内蔵した植栽観賞用の可動家具で、ガラス鉢と共にライトアップされ癒し効果を高めた連結可能な植物観賞ユニット．
【請求項２】
室内での植物育成において植物の根に水を供給することと供給された水によって酸素不足に陥り根腐れを起こす、といった相反する現象を解消する為、鉢底に設置したドーム状のエアーダクトを通してセラミック土壌に常に酸素を供給することで根腐れを防止すると同時に、エアー導入パイプの高さ調整によって作り出された水溜りと給水リボンによる水の吸上げのシステムによって酸素と水の同時供給を可能にした循環型室内潅水装置。
【考案の詳細な説明】
【技術分野】
【０００１】本考案は移動する室内のスポットガーデンとしてヒーリング効果を図った潅水装置付き植物観賞ユニットに関する。
【背景技術】
【０００２】従来の室内における植物観賞形態には水受け用の鉢皿の上に植木鉢を置くかセラミックボールを用いた器による水耕栽培などがある。
【考案の開示】
【考案が解決しようとする課題】
【０００３】従来の室内における植物観賞形態は水遣りが頻繁に必要な上、不衛生でかつ潅水装置は大掛かりなもので観賞には適さないものであった。【０００４】本考案は室内スポットガーデンとして手軽に植物を育成し観賞することを目的に、連結可能で可動の室内植物観賞ユニットを提案する。
【課題を解決するための手段】
【０００５】植栽したガラス鉢を組み込んだ植物観賞ユニットを内部から鉢ごとライトアップすることで癒しの演出効果を高めた。【０００６】ユニット化により連結させることで簡単にスポットガーデンの広さを変えることを可能にした。【０００７】可動の植物観賞ユニットとして移動させることで植物には欠かせない窓際の自然光や風も取り入れることが出来、窓のない部屋でも植物観賞を楽しむことができる。【０００８】本考案は循環型室内潅水装置を内蔵することで誰でも簡単に観賞用植物の生育環境を最適に維持することができる。
【考案の効果】
【０００９】自然界から隔絶された都市空間で、どこでも簡単に取り入ることが可能な室内スポットガーデンとして身近に植物による癒し効果が期待できる。
【考案を実施するための最良の形態】
【００１０】室内床置型として単体のスポットガーデンのみならず、連結による集合形態で更にヒーリング効果が期待できる。
【実施例】
【００１１】住宅の居間、食堂、玄関やマンション、オフィスのエントランスホール、あるいは店舗、イベント会場などに設置
【産業上の利用可能性】
【００１２】住宅、マンションやオフィス、店舗など、都市空間の室内において植物を育成し観賞することを目的にしたヒーリングスポットを提供
【図面の簡単な説明】
【００１３】
【図１】本考案の実施形態を示す室内植物観賞ユニットの断面図  ガラスの植木鉢１に植えられた植物は可動の家具ユニット２の内部に設置された循環型室内潅水装置３により最適に管理され、ガラス鉢と共に底面に組み込まれた照明装置４によってライトアップされる。
【図２】本考案の実施形態を示す循環型室内潅水装置の断面図
【図３】同室内植物観賞ユニットの平面図
【図４】同室内植物観賞ユニットの底面図
【図５】同室内植物観賞ユニットの正面図
【図６】同室内植物観賞ユニットの背面図
【符号の説明】
【００１４】  １  ガラス鉢
２  家具ユニット
３  循環型室内潅水装置
４  ＬＥＤ照明装置
５  エアー導入パイプ
６  貯水容器
７  給水リボン
８  保水シート
９  エアーダクト
【図１】
0003126366.tif 000003
【図２】
0003126366.tif 000004
【図３】
0003126366.tif 000005
【図４】
0003126366.tif 000006
【図５】
0003126366.tif 000007
【図６】
0003126366.tif 000008
【手続補正書】
【提出日】平成18年7月27日(2006.7.27)
【手続補正１】
【補正対象書類名】実用新案登録請求の範囲
【補正対象項目名】全文
【補正方法】変更
【補正の内容】
【実用新案登録請求の範囲】
【請求項１】
酸素と水を同時供給する循環型潅水装置を内蔵した自動給水システムを特徴とする植物観賞ユニットについて、室内での植物育成において根に水を供給することと供給された水によって酸素不足に陥り根腐れを起こす、という相反する現象を解消する目的で、鉢底に設置したドーム状のエアーダクトを通してセラミック土壌に酸素を供給することで根腐れを防止し、同時にエアー導入パイプの高さ調整によって作り出された水溜りと給水リボンによる水の吸上げによって酸素と水の同時供給を可能にした潅水システムを特徴にした植物観賞の為の可動家具で、ガラス鉢と共にライトアップされ癒し効果を高めた連結可能な植物観賞ユニット。
(57)【要約】      （修正有）【課題】欲しい時に耳かきがなかなか見つからない、側にない不便さを解消する。【解決手段】本考案に係る耳かき具は指があたる持ち易い広い面１を備えている。そして、この面の中にＵ字型のカットがされている。この部分がクリップ機能をもつ。また、指があたり持ちやすい広い面からＵ字に曲がった棒状の耳かきに続く構成とする。【選択図】図１
0003126365.tif 000002
【実用新案登録請求の範囲】
【請求項１】
耳かきを収納しやすく短くし、持ち手を大きく持ちやすくすると共に、持ち手の部分に板状のクリップ機能をもたせ、ポケット等に固定し携帯しやすい耳かき具。
【請求項２】
耳かきを収納しやすく持ち手を折りかえして短くすると共に、持ちやすいように一方の端に大きな面をつくり、折り返しのＵ字の部分のクリップ機能でポケット等に固定できる携帯しやすい耳かき具。
【考案の詳細な説明】
【技術分野】
【０００１】  本考案は携帯用耳かき具に関する。
【背景技術】
【０００２】  従来の耳かき具は持ち手が長く収納、携帯に不便であった。
【考案の開示】
【考案が解決しようとする課題】
【０００３】  従来の耳かき具は持って外出するのに不便で、いろんな場所で耳を掻きたい時、指やペンで代用せざるをえなく不便。落ち着かない時間を過ごすことになる。
【課題を解決するための手段】
【０００４】  そこで携帯しやすいように持ち手を短くすると共に、持ちやすい広い面をつくり、それにクリップ機能を持たせる（図１と図２）この耳かき具により、使いやすく、固定でき持ち運びやすい道具となる。
【考案の効果】
【０００５】  よってポケット、本、ハンドバック等に簡単に固定し持ち運べるようになり、いろんな場所で耳を掻きたいと思った時、そばにあり使用できる。
【考案を実施するための最良の形態】
【０００６】  本考案に係る耳かき具は図１に示すように指があたる持ち易い広い面１を備えている。そしてこの面の中に２のようなＵ字型のカットがされている。この部分がクリップ機能をもつ。また、図２に示すように指があたり持ちやすい広い面、３から４のようにＵ字に曲がった棒状の耳かきに続く。
【図面の簡単な説明】
【０００７】
【図１】本考案の１つの耳かき具の天面図である。
【図２】本考案のもう１つの耳かき具の天面図と側面図である。
【符号の説明】
【０００８】  １  広い面
２  Ｕ字型カット
３  広い面
４  Ｕの字に曲がった棒状の耳かき
【図１】
0003126365.tif 000003
【図２】
0003126365.tif 000004
【手続補正書】
【提出日】平成18年7月25日(2006.7.25)
【手続補正１】
【補正対象書類名】実用新案登録請求の範囲
【補正対象項目名】全文
【補正方法】変更
【補正の内容】
【実用新案登録請求の範囲】
【請求項１】
耳かきを収納しやすく短くし、持ち手を大きく持ちやすくすると共に、板状の持ち手の部分の中央にＵ字形の穴をあけてクリップ機能をもたせ、ポケット等に固定し携帯しやすい耳かき具。
【請求項２】
耳かきを収納しやすく持ち手を折りかえして短くすると共に、持ちやすいように一方の端に大きな面をつくり、折り返しのＵ字の部分のクリップ機能でポケット等に固定できる携帯しやすい耳かき具。